(57)【要約】【目的】長期間滞留状態に置かれても、インキの逆流によるインキ用液体の汚損を防止可能とする。【構成】インキ用液体と、このインキ用液体に着色するための着色剤の主体とが分離されて収納され、インキ用液体が筆記先端へ誘導される途中で、着色剤がインキ用液体に添加されるように設けられているボールペンに於いて、前端にボールペンのチップを備えた軸筒内の前方部に隔壁が設けられ、その隔壁の前部にインキ用液体に着色するための着色剤が収納され、隔壁の後部にインキ用液体が収納されると共にインキ用液体の後端にインキ用液体の消耗と共に追随して移動可能なフォロアが設けられて、更にその後方にポンピング式の加圧機構が設けられ、加圧された時に前記インキ用液体が前記隔壁の前部に疎通可能となる。【選択図】                図１
2004358870.tif 000002
【特許請求の範囲】
【請求項１】
インキ用液体と、このインキ用液体に着色するための着色剤の主体とが分離されて収納され、インキ用液体が筆記先端へ誘導される途中で、着色剤がインキ用液体に添加されるように設けられているボールペンに於いて、
前端にボールペンのチップを備えた軸筒内の前方部に隔壁が設けられ、その隔壁の前部にインキ用液体に着色するための着色剤が収納され、隔壁の後部にインキ用液体が収納されると共にインキ用液体の後端にインキ用液体の消耗と共に追随して移動可能なフォロアが設けられて、更にその後方にポンピング式の加圧機構が設けられ、加圧された時に前記インキ用液体が前記隔壁の前部に疎通可能となるように構成されたことを特徴とするボールペン。
【請求項２】
加圧機構は、ノックスプリングによってノック棒が後軸筒に対して常時後方に附勢された状態で、且つ前後退可能に後軸筒に係止されると共に、ノック棒の外周部が後軸筒の内周部に密接するように設けられ、ノック棒を前進させた時に通気口とノック棒の前端との間に形成される空間部を圧縮して加圧するように設けられたノック機構部と、そのノック機構部の前方に加圧空気を疎通させる弁機構が設けられてなる請求項１に記載のボールペン。
【請求項３】
加圧機構のポンピング作動によって空気が送り込まれてフォロアの後端が加圧され、そのポンピング作動操作の終端位置で、フォロアの後端が外気と通気可能となるように構成されてなる請求項２に記載のボールペン。
【発明の詳細な説明】
【０００１】
【産業上の利用分野】
本発明は、インキ中に含まれるインキ用液体と着色剤が分離して収納されていて、インキ用液体が筆記先端へ誘導される途中で、着色剤がインキ用液体に添加されることにより、筆記先端では所定の色彩を呈するインキで筆記できるようにした直液式のボールペンに関する。
【０００２】
【従来の技術】
【特許文献１】ＷＯ  ０３／０１８３２９（国際公開番号）
【特許文献２】特開２００１−１５０８６５
特許文献１に於いて、インキ中に含まれるインキ用液体と着色剤の主体とを分離して収納すると共に、インキ用液体が筆記先端へ誘導される途中で、着色剤がインキ用液体に添加されるように形成することにより、例えば、インキ用液体を無色透明にしたり、あるいはインキ用液体の色彩と同系の極めて薄い色彩にしたりして、筆記先端では所定の色彩を呈するインキで筆記できるものの、見た感じが従来の筆記具とはまったく異なるボールペンが提案されている。
また特許文献２に於いて、軸筒の後端にポンピング式の加圧機構部が設けられ、更にその前方で且つインキの後端に接触してインキの消耗と共に追随するよう配設されたフォロアの後端に位置して弁機構が配設され、加圧機構部の前進作動によって軸筒の後端孔に空気が押し込まれて、その際に所定圧で弁が開いてフォロアの後端が加圧されることによってインキのチップ側への流動性が支援されるように構成されたものが提案されている。
【０００３】
上記特許文献１に於いて、軸筒の前方に設けられた隔壁の後部にインキ用液体収納され、隔壁の前部にスプリングで押圧されたボール状の弁体で導孔を遮蔽する弁機構が示されている。また、隔壁および弁体の前部にインキ用液体に着色する着色剤が収納され、更に、前記インキ用液体の後端にインキ用液体の消耗と共に追随するグリース状（ゲル状も含む）のフォロアが示されている。
しかしながら、このものは筆記に伴うインキの消耗によって生じる減圧で、前記弁体による導孔の遮蔽状態が僅かに解除されて、インキ用液体が着色剤収納部に補充されるようになされているが、スプリングが弱すぎると僅かな外力で遮蔽状態が解除されて着色されたインキがインキ用液体側に逆流して、徐々にインキ用液体が汚損される問題がある。また、スプリングが強すぎると減圧に追随できずインキ用液体が供給されない問題がある。
また、特許文献１に於いて、着色剤とインキ用液体との間に着色剤吸着芯を設けて、着色されたインキが逆流した場合、着色剤吸着芯によって着色剤を吸着しインキ用液体が汚損しないようにしたものが示されている。
しかしながら、このものはインキ種や着色剤吸着芯の設定条件によっては、長期間滞留状態にあった場合、着色剤吸着芯での遮断が経時と共に低下し、徐々に汚損されてしまう問題が存在する。
【０００４】
また、一般に粘性の低いインキまたは剪断減粘性を有したインキを使用したボールペンは、インキの流出量が多く（筆記濃度を上げるため）インキ収容管の径を太くしてインキの搭載量を多くしている。また、インキの粘度は油性ボールペンのインキに比べて小さいのでインキ収容管に対する流動抵抗は小さい。従って、インキの自重や落下あるいはノック衝撃が加わることによりインキ漏れ（インキ収容管の後端にインキが逆流する）が生じやすい。その為に、通常はインキの後端に筆記時のインキの消耗に追随して移動するが、インキの自重や衝撃に対してインキの逆流を抑制するグリース状のフォロアが、また、必要によりフォロア棒がフォロア内に浸漬されて設けられている。
しかしながら、フォロアを設けても上向き筆記をした時にはチップのボール背面のインキが無くなると、インキのヘッドが直に加わる為に顕著な逆流が生じて手や衣服を汚す危険がある。また、インキの粘度が低く流出量が多いが故に、チップ側を下向きにした場合に先端ボールとチップ抱持部の隙間が生じるとインキが滲みでる（直流）問題が存在する。
【０００５】
そこで、その問題を解決する方法として、ボールペンチップの後端に連通して後方に弁室が設けられ、弁室の後部にテーパー状又は球面状のボール受け座が設けられて、弁室内にボール弁が遊嵌され、チップ側が上向きの時にボール弁がボール受け座に密接して導孔が密閉され、インクの後端に配設されたフォロアと協同してインクの逆流を防止する方法が知られている。
また、ボールペンチップの内孔にスプリングが附勢されて、スプリングの先方でチップ先端部に回転自在に抱持された先端ボールの後端を押圧して、先端ボールがチップのボール抱持部の内縁に密接され、インクの後端に配設されたフォロアと協同してインクの逆流を防止すると共にインクの直流を防止する方法が知られている。また、上記２つの方法を併用して、更に確実なものにすることも知られている。
また、インキが極めて低粘度な場合には、先端ボールの後端に略当接させた状態でインキ誘導芯を設ける方法がとられる。
【０００６】
【発明が解決しようとする課題】
従来のスプリングが弱すぎると僅かな外力で遮蔽状態が解除されて着色されたインキがインキ用液体側に逆流して、徐々にインキ用液体が汚損される問題、
スプリングが強すぎると減圧に追随できずインキ用液体が供給されない問題、
着色剤とインキ用液体との間に着色剤吸着芯を設けて、着色されたインキが逆流した場合で、長期間滞留状態にあった場合、着色剤吸着芯での遮断が経時と共に低下し、徐々に汚損されてしまう問題、などを解決可能とする。
【０００７】
【課題を解決するための手段】
本発明は、上記課題を達成する為に以下の構成を有する。
請求項１に記載の発明に係るボールペンは、インキ用液体と、このインキ用液体に着色するための着色剤の主体とが分離されて収納され、インキ用液体が筆記先端へ誘導される途中で、着色剤がインキ用液体に添加されるように設けられているボールペンに於いて、前端にボールペンのチップを備えた軸筒内の前方部に隔壁が設けられ、その隔壁の前部にインキ用液体に着色するための着色剤が収納され、隔壁の後部にインキ用液体が収納されると共にインキ用液体の後端にインキ用液体の消耗と共に追随して移動可能なフォロアが設けられて、更にその後方にポンピング式の加圧機構が設けられ、加圧された時に前記インキ用液体が前記隔壁の前部に疎通可能となる。
【０００８】
請求項２に記載の発明に係る加圧式のボールペンは、請求項１に記載のボールペンに於いて、加圧機構は、ノックスプリングによってノック棒が後軸筒に対して常時後方に附勢された状態で、且つ前後退可能に後軸筒に係止されると共に、ノック棒の外周部が後軸筒の内周部に密接するように設けられ、ノック棒を前進させた時に通気口とノック棒の前端との間に形成される空間部を圧縮して加圧するように設けられたノック機構部と、そのノック機構部の前方に加圧空気を疎通させる弁機構が設けられてなる。
【０００９】
請求項３に記載の発明に係る加圧式のボールペンは、請求項２に記載のボールペンに於いて、加圧機構のポンピング作動によって空気が送り込まれてフォロアの後端が加圧され、そのポンピング作動操作の終端位置で、フォロアの後端が外気と通気可能となるように構成されてなる。
【００１０】
【実施例】
図１乃至図５は本発明の実施例１である加圧式のボールペン１を示している。
先ず、ボールペン１は、前軸筒２、チップ５、弁体９、隔壁６、インキ１０、フォロア１１、後軸筒１３、後軸筒後端に設けられるポンピング式の加圧機構で構成され、通常、筆記具の最終形態としては筆記先方部を被嵌するキャップ（図示せず）が設けられる。（筆記先端部出没式のボールペンリフィールとすることも可能である。）
【００１１】
前軸筒２は透明の合成樹脂製の筒体であって、前方に中継ぎ手３と先細状の先継ぎ手４（通常は、中継ぎ手３及び先継ぎ手４は不透明樹脂）が圧入等の手段で固定され、先継ぎ手４の前単位はボールペンのチップ５が固定されている。（なお、前記３部品は別体の構成には限定されない。）また、インキとフォロアが充填されるインキ収容部２ｃの後方に接合部（雌螺子部２ｂ）が設けられている。
【００１２】
また、前軸筒２は、無色透明に形成される場合に限られず、例えば、有色透明、あるいは半透明に形成してもよい。
また、前軸筒２は、全体が透明に形成される場合に限られず、例えば、その一部に透明な窓を設けることにより、その内部を視認できるようにしてもよい。
また、前軸筒２は、全体が透明に形成されると共に、その把持部となる位置の外周に透明あるいは不透明な弾性体グリップが設けられてもよい。
また、前軸筒２の表面に、文字や図形や模様などを付してもよい。
即ち、前軸筒２は、意図した内部が視認できるように形成されていることが望ましいものである。
また、前軸筒２は一例としてＰＰ樹脂やナイロン樹脂成形品等が使用される。
【００１３】
また、前軸筒２内の前方部に隔壁６が固定されている。その隔壁６の中心部には、前面側にテーパー状あるいは球面状の弁体受け座６ａが形成され、後方に貫通して導孔６ｂが形成されている。
【００１４】
また、チップ５は、インキ流入可能なチャンネルを有した座に先端ボール５ａが略当接した状態で先端ボール５ａが回転自在に抱持されるようカシメられている。また、チップ内孔にスプリング５ｂが挿入され、チップ後方の軸部後端が適宜カシメられて、スプリング５ｂの後端が抜出不能に設けられている。
また、スプリング５ｂの先方には直立状の棒軸部５ｃが形成され、その先端が先端ボール５ａの背面に押圧状に当接している。尚、先端ボール５ａはその押圧でチップ５のボール抱持部の内縁に密接状態となされている。
尚、スプリングの前面に先端ボール５ａの背面を押圧する押し部材を設けることも、また、上記棒軸部を極細巻きのコイル状となすことも可能である。
また更に、チップを耐磨耗性やインキのシール性能に優れた樹脂成形品となして、先端ボールの背面を押圧するバネ座を一体または別体のバネ座を設けて構成することも可能である。
【００１５】
また、先端ボール５ａがボール抱持部の内面に密接することは筆記先端の乾燥、インキの直流防止に対し極めて重要である。また、必要に応じて先端ボール５ａを抱持するチップ内面の表面粗さ、カシメによる密接精度を改善する為に内面の研削仕上げ、カシメ精度を上げる為の二次的な塑性加工などが配慮される。
また、必要によっては先端ボールとの密接面に表面処理などが配慮される。
【００１６】
また弁機構として、隔壁６の前部にボール状の弁体９が遊挿されると共に、弁体９が弁体受け座６ａに密接して常時導孔を遮蔽するように弁体９を適宜強さで押圧するスプリング９ａが弁体９と中継ぎ手３の前端に設けた段部３ａとの間に敷設されている。なお、前記弁体９は、ボール状に限らず棒状とすることもでき、更に、弁機構は、前記実施形態に限定されず設けることが可能である。また更に、衝撃等で弁体が可動しないように弁体は重量や比重を小さくすることが好ましく、インキの比重と同等が望ましい。
また、隔壁６の前部にインク用液体１０に着色するための着色剤７が収納され、隔壁６の後部にインキ用液体１０が収納されて、更に、インキ用液体１０の後端にインキ用液体１０の消耗と共に追随して移動可能なグリース状（ゲル状も含む）のフォロア１１が設けられている。また、フォロア１１はインキと相溶性が無く、インキの蒸発を防止する性能を有している。また、必要に応じてフォロア内にフォロアと略同等の比重を有する樹脂製のフォロア棒１２が浸漬される。
尚、フォロアは例えばシリコンゴム等の追従体とすることも可能である。
【００１７】
また、上述したインキ用液体１０は、従来の低粘度インキあるいはゲル状インキから染料または顔料を除いた部分を主体とするものであり、無色透明または半透明の液体に調整することができる。
また、例えば、無色透明または半透明のインキ用液体１０に、極めて少量の染料または顔料を溶解または分散させることによって、有色透明または有色半透明のインキ用液体１０を調整することもできる。これにより、例えば、着色剤と同系であって極めて薄い色彩のインキ用液体１０を調整することができる。また、例えば、着色剤とは異なる色彩であって極めて薄い色彩のインキ用液体１０を調整することもできる。
【００１８】
また、インキ用液体を、特に低粘度の水性インキ用液体とした場合には、弁機構の解放状態が続くと着色剤がインキ用液体に拡散してしまう危険性がある。
そこで着色剤を拡散途中で捕獲・吸着させる目的で、隔壁６の後方に着色剤吸着芯が配設される。着色剤吸着芯は、例えば活性炭を主材とした粉末状や繊維状のものを多孔質状で円柱棒状体に形成してなるものであって、インキ用液体を液体収納部から着色剤添加芯へ誘導可能とすると共に、  拡散された着色剤を吸着し、着色剤が液体収納部側へ移動するのを防止可能とする。
また着色剤７は、従来のインキの染料または顔料に相当するものであり、従来のインキからビヒクルを除いた部分を主体とするものである。
【００１９】
後軸筒１３は、後端にノック棒１７を有し、ポンピングによって圧縮空気を送り込むように加圧機構が配設された筒部の前方に接合部（雄螺子部１３ｇ）が設けられ、さらに前方の外周部に円周状の凸部となされたシール部１３ｈが形成されている。このシール部１３ｈは、後軸筒１３が前軸筒２に螺合等によって結合されたときに、前軸筒の内面に摺接して気密効果を上げることが可能となる。
またポンピング式の加圧機構は、弁機構部と、弁機構部の後方に形成される空間部を圧縮するように設けられたノック機構部とで構成されている。
【００２０】
弁機構部は以下のように構成されている。
先ず、ブッシュ１４は、軸心部に前端から弁室となる孔が設けられ、その孔の後端にテーパー状又は球面状の受け座１４ｂが形成されると共に、やや小径と成した通気口１４ｃが後端まで貫通して設けられており、球状の弁体１５が受け座１４ｂに密接する状態に弁体と後軸筒１３の内孔前方に設けられた内段部１３ｆとの間にスプリング１６が敷設されると共に、ブッシュ１４が軸筒１３の内孔前方に別に設けられた内段部１３ｅに前端が当接した状態で後軸筒１３の内孔に密嵌されて弁機構部が構成される。
以上によって、常時は、弁体１５が受け座１４ｂに密接して通気口１４ｃが閉塞され、後軸筒の内孔を気密状に分断する。
【００２１】
また、弁機構部の後方にノック機構部が配設される。
ノック機構部は以下のように構成されている。
後軸筒１３の後端部側面に、後端側から先方に向かって細くなるテーパー状のスリット部１３ｃが形成され、その前端に後段部１３ｄを有して軸方向前方所定長さのスリット部１３ｂが形成されている。
【００２２】
またノック棒１７は、後端に鍔状の摘み部１７ｂとその前方に軸部が形成され、軸部外周の略中間に突部１７ａと軸部外周の略前端に周状の溝部１７ｃが設けられて、その溝部１７ｃに一例としてゴム等の弾性体や弾性のある成形樹脂などより成るシールリング１８が止着されている。
尚、シールリング１８は、気密性、滑り性のよいものが選択される。また、他潤滑剤を介在させるなど配慮される。また、シールリング部は軸部外周に一体に形成することも可能である。
またノック棒１７の前端には、前端から後方に向かって適宜深さの凹部１７ｅが形成され、その凹部１７ｅの軸心に軸部１７ｄが形成され、更に軸部１７ｄの前方にノック棒の前端面よりさらに突出した凸部１７ｆが形成されている。
【００２３】
またノック棒１７は、後軸筒１３の後端から挿入され、上記凹部１７ｅの後端とブッシュ１４の後端との間にノックスプリング１９が敷設されると共に、突部１７ａが上記テーパー状のスリット部１３ｃを弾性的に拡開して、突部１７ａが後段部１３ｄの前面に係止され、ノックスプリング１９によって後軸筒１３に対してノック棒１７は常時後方に附勢される。ところで、後軸筒１３の内孔には、前記スリット部１３ｃの前段部１３ｊよりやや前方にリング１３ｋが固定され、そのリング１３ｋの内径はその前方の後軸筒の内周部１３ｉの内径より適宜小さく設定されており、シールリング１８の外周部はリング１３ｋの後端から僅か後方に位置されている。従って、通気口１４ｃとノック棒１７の前端との間に形成される空間部２０は外気と連通している。
【００２４】
即ち、ノック棒１７の前進作動の直前において、後軸筒１３の空間部２０は外気と連通され、ノック棒１７が適宜前進した直後においてシールリング１８の外周部がリング１３ｋの内周部に密接することで外気と遮断され、空間部２０の縮小と共に加圧されるよう構成されている。
また、ノック棒１７を前進して空間部２０を適宜圧縮した状態で、弁体１５の受け座１４ｂとの密接状態が解除されるようにノック棒１７の前端に設けられた凸部１７ｆが弁体１５の後端に当接する。
尚、仕様や組立ての都合によってリング１３ｋは後軸筒１３と一体に形成することもできる。
【００２５】
以上で、前軸筒２の雌螺子部２ｂに後軸部１３の雄螺子部１３ｇを螺合することによって、フォロア１１の後端部空間が外気と遮断される。
尚、前軸筒と後軸筒を結合させる接合部は、螺子部に限らず、凹凸部の弾性係合によっても達成することが可能である。
【００２６】
ところで、図５は後軸筒のスリット部を側面から示した図である。
図に示すように、スリット部は、スリット部１３ｂの前段部１３ｊから後軸筒１３の周面に沿った傾斜状のスリット部１３ｍを経由して水平な溝部１３ｌで設けられている。また図５は、ノック棒１７がポンピング作動操作の終端位置から更なる回転操作で後軸筒１３に対してもっとも前進して係止された状態を示している。
【００２７】
また、図６及び図７は本発明の実施例２であるボールペン２２を示している。
実施例２は、実施例１と基本的には同じものである。即ち、上述した隔壁６に対して当該実施例の隔壁２２ａは、連続気孔を有した多孔質体（ウレタン状のものもしくは硬質の焼結体）、押出し成形等で軸方向に針葉状の複雑な毛細管が形成される所謂プラ芯、繊維集合体、などと同等のものであるが、インキの流出機能としての毛管作用に依存しないものである。すなわち、インキの濡れを低下させ、（例えば、インキの表面張力より小さく、インキをはじく状態となるようにペン芯の材質選定や表面処理が施される。）隔壁２２ａを疎通するインキは所定の加圧力以上が必要となるようになされている。
【００２８】
また、図８は本発明の実施例３であるボールペンで、後軸筒部位の別の形態のみを示している。
当該実施例は、中央の鍔部２６ｃの後方に後軸部２６ａと、鍔部前方に雌螺子部２６ｂとシール部２６ｆが一体に形成された継ぎ手２６が、その鍔部２６ｃを後軸筒２５の前端に当接し、後軸部２６ａを後軸筒の内孔に嵌着して設けられている。また、継ぎ手２６の軸心に形成された内孔部略後端に受け座２６ｄと更に後端に貫通して通気口２６ｅが設けられ、その受け座２６ｄに密接するように弁体２７がスプリング２８で押圧され、そのスプリング２８の前端に当接して圧入筒２９が継ぎ手２６の前端側内孔に固着されて、圧入筒２９の後端部３０と受け座２６ｄとの間に弁室が形成されると共に、圧入筒２９の軸心には弁室に連通する貫通孔が設けられて、弁機構部が構成されている。尚、ノック機構部については実施例１とほぼ同様に構成されている。また、弁機構部とノック機構部とで構成されるポンピング式の加圧機構の基本構成を上記で説明したが、弁機構部やノック機構部は設計都合によって種々の形態が採用可能である。
【００２９】
【作用】
先ず、ポンピング式の加圧機構の作用を以下に説明する。
図２に示す状態からノック棒１７の後端を押圧して前進すると、図３に示すように、シールリング１８の外周部がリング１３ｋの内周部に密接した時点で空間部２０が外気と遮断されると共に、ノック棒１７が更に前進することによってシールリング１８の外周部がリング１３ｋの内周部に密接して摺動し、空間部２０の縮小と共に内圧が上昇する。また、ノック棒１７を前進して空間部２０を適宜圧縮した状態で、弁体１５の受け座１４ｂとの密接状態が解除されるようにノック棒１７の前端に設けられた凸部１７ｆが弁体１５の後端に当接し、加圧された空気が弁体の前方に押し込まれることによって、フォロア１１の後端が加圧される。ところで、この加圧作用によって上述した弁体９と隔壁６との遮蔽状態が解除可能となり、筆記に伴う減圧作用と相まって筆記先端部からインキが流出して筆記可能となる。
【００３０】
また、適正な加圧力が設定可能である。
その場合、シールリング１８の外周部が後軸筒１３の内周部全周に密接する時の空間部２０の容積とノック棒１７の前端に設けられた凸部１７ｆが弁体１５の後端に当接した時の空間部の容積を幾らにするか、シール部のリーク値などを勘案して設定することが可能となる。また、凸部１７ｆで弁体１５の後端に当接することによって、弁体１５を押圧するスプリング１６の強さが所定の強さより強い方にばらついても所定の加圧力が設定可能である。
【００３１】
上記の状態からノック棒の摘み部１７ｂを一方に回転すると、ノック棒の突部１７ａが傾斜状のスリット部１３ｍに案内されて溝部１３ｌに係止される。（図５参照）また、この状態は図４に示される。
このとき、シールリング１８は後軸筒の内周部１３ｉに位置しており、弁体１５の前方から外気に連通する通気路が形成され、フォロア１１の後端は外気と通気した状態に維持される。
従って、ボールペンの未使用時に於いて、不用意に筆記先端部に外力が懸かってもインキが吹出る問題が回避可能となる。
【００３２】
次に、筆記部の機能について説明する。
先ず、筆記しない状態ではスプリング５ｂの押圧で先端ボール５ａがチップ抱持部の内縁に密接されるのでインキの直流及び逆流が防止される。また、筆圧により先端ボール５ａが微小に後退するので隙間を生じてインキが流出可能となり、筆記により先端ボール５ａの回転でインキが流出されて筆記される。
スプリング５ｂの押圧が無い場合でも、フォロアの後端が加圧されない状態ではインキ用液体１０が隔壁６で疎通を遮断されるので筆記先端部からのインキの直流や逆流が防止できる。
【００３３】
加圧されない状態に於いては、隔壁が遮蔽されてインキの逆流が防止されるのでインキ用液体内が汚損される問題がない。加圧された状態では、インキの逆流が抑制されるので汚損が防止可能となる。また、隔壁の後部に着色剤吸着芯を設けることによって、加圧された状態で衝撃が加わったりして、例えば弁体の背面に回り込んだインキや付着したインキ分が着色剤吸着芯によって吸着され、一層インキ用液体が汚損する虞がない。
【００３４】
また、上述したポンピング式の加圧機構は、弁機構部と、弁機構部の後方に形成される空間部を圧縮するように設けられたノック機構部とで構成されているが、隔壁の前部に弁体が設けられた構造では、ノック機構部のみとすることも可能である。この場合、加圧したしたときにインキ用液体が着色剤側に加圧状態で供給され、後退するときにフォロアの後端を外気と同じにすることができる。
尚、具体的な構造は多様に提案されている。
【００３５】
加圧された状態で隔壁のインキ用液体の疎通が解除され、筆記に伴うインキの消費によってフォロアはインキ用液体に追従して移動し、インキ用液体が着色剤収納部を通過することにより、例えば、粒状の着色剤が少しずつ溶解、また撹拌子（攪拌子を用いる場合、図示されていないが上述した隔壁や弁体の作用に干渉しない状態で着色剤収容部に攪拌子が遊嵌される。）で溶解が促進され、インキとなって筆記先端部に誘導される。従って、例えば、インキ用液体を無色透明にしたり、あるいはインキ用液体の色彩を着色剤と同系の極めて薄い色彩にした時に、筆記先端部では所定の色彩を呈するインキで筆記できるものの、見た感じが従来の筆記具とはまったく異なる筆記具を提供することができる。また、フォロアを着色したり、インキ用液体内部にさまざまなフィラーを混入したり、フォロアの変形を防止するための効果と合わせて、フォロア内部に樹脂製のフォロア棒を浸漬させたりして、見た目の意外性などを強調することができる。
【００３６】
【発明の効果】
本発明のボールペンの構成及び作用は以上の如くであり、
隔壁の導孔を遮蔽する弁体を用いたものは、従来のスプリングが弱すぎると僅かな外力で遮蔽状態が解除されて着色されたインキがインキ用液体側に逆流して、徐々にインキ用液体が汚損される問題、スプリングが強すぎると減圧に追随できずインキ用液体が供給されない問題、などが解決可能となる。
また、着色剤とインキ用液体との間に加圧によりインキが疎通可能となる隔壁と着色剤吸着芯が設けられたものは、長期間滞留状態にあった場合でも、インキの逆流によってインキ用液体が汚損される問題が解決可能となる。
また、携帯時などボールペンの未使用時に於いて、加圧状態が解除でき、隔壁の遮蔽によってインキが吹出て周囲を汚損する等の問題が回避可能となる。
【図面の簡単な説明】
【図１】本発明の実施例１であるボールペンの前軸筒の要部を示す縦断面図である。
【図２】実施例１であるボールペンの前軸筒の後方部と後軸部を示す縦断面図である。
【図３】実施例１であるボールペンの加圧機構部の作動状態を示した断面図である。
【図４】実施例１であるボールペンの加圧が解除された状態を示した断面図である。
【図５】図４の状態に維持される為、ノック棒の突部が後軸筒の溝部に係止された状態を示す図である。
【図６】本発明の実施例２であるボールペンの前軸筒の要部を示す縦断面図である。
【図７】実施例２であるボールペンの前軸筒の後方部と後軸部を示す縦断面図である。
【図８】実施例３であるボールペンの前軸筒の後方部と後軸部を示す縦断面図である。
【符号の説明】
１        ボールペン
２      前軸筒
２ａ    軸部
２ｂ    雌螺子部
２ｃ    インキ収容部
２ｄ    段部
３      中継ぎ手
３ａ    段部
３ｂ    段部
４      先継ぎ手
４ａ    導孔
５      チップ
５ａ    先端ボール
５ｂ    スプリング
５ｃ    棒軸部
６      隔壁
６ａ    弁体受け座
６ｂ    導孔
７      着色剤
７ａ    着色剤収納部
８      着色剤吸着芯
９      弁体
９ａ    スプリング
１０    インキ用液体
１１    フォロア
１２    フォロア棒
１３    後軸筒
１３ａ  段部
１３ｂ  スリット部
１３ｃ  テーパー状のスリット部
１３ｄ  後段部
１３ｅ  内段部
１３ｆ  内段部
１３ｇ  雄螺子部
１３ｈ  シール部
１３ｉ  内周部
１３ｊ  前段部
１３ｋ  リング
１３ｌ  溝部
１３ｍ  傾斜状のスリット部
１４    ブッシュ
１４ａ  後端部
１４ｂ  受け座
１４ｃ  通気口
１５    弁体
１６    スプリング
１７    ノック棒
１７ａ  突部
１７ｂ  摘み部
１７ｃ  溝部
１７ｄ  軸部
１７ｅ  凹部
１７ｆ  凸部
１８    シールリング
１９    ノックスプリング
２０    空間部
２１    前軸筒
２２    ボールペン
２２ａ  隔壁
２３    着色剤
２４    フォロア
２５    後軸筒
２５ａ  内周部
２５ｂ  内周部
２６    継ぎ手
２６ａ  後軸部
２６ｂ  雌螺子部
２６ｃ  鍔部
２６ｄ  受け座
２６ｅ  通気口
２６ｆ  シール部
２７    弁体
２８    スプリング
２９    圧入筒
３０    後端部
３１    ノック棒
【図１】
2004358870.tif 000003
【図２】
2004358870.tif 000004
【図３】
2004358870.tif 000005
【図４】
2004358870.tif 000006
【図５】
2004358870.tif 000007
【図６】
2004358870.tif 000008
【図７】
2004358870.tif 000009
【図８】
2004358870.tif 000010